(57)【要約】【課題】運動を行った際でも安定した装着状態を保持可能な骨盤サポーターを提供する。【解決手段】骨盤サポーター１は、運動用に装着可能であり、装着者の下半身に装着可能な下衣２と、下衣２の表面に密着形成され、装着した際に装着者の腰周りに環状に延在する樹脂パターン１０とを備える。樹脂パターン１０は、パターン密度が高い高密度領域と、パターン密度が低い低密度領域とを有するものであってもよく、パターン幅の広い広幅領域とパターン幅の狭い細幅領域とを有するものであってもよい。【選択図】図１
2010131363.tif 000002
【特許請求の範囲】
【請求項１】
運動用に装着可能な骨盤サポーターであって、
装着者の下半身に装着可能な下衣と、
前記下衣の表面に密着形成され、装着した際に装着者の腰周りに環状に延在する樹脂パターンとを備える、骨盤サポーター。
【請求項２】
前記樹脂パターンは、パターン密度が高い高密度領域と、前記パターン密度が低い低密度領域とを有しており、
前記下衣の正面中央部および背面中央部、および側部に前記高密度領域を配置し、前記正面中央部と前記側部との間および前記背面中央部と前記側部との間に前記低密度領域を配置した、請求項１に記載の骨盤サポーター。
【請求項３】
前記樹脂パターンは、前記樹脂パターンが延在する方向と直交する方向の幅が広い広幅領域と、前記直交する方向の幅が狭い細幅領域とを有しており、
前記正面中央部および前記背面中央部に前記広幅領域を配置し、前記正面中央部と前記背面中央部との間に前記細幅領域を配置した、請求項１または２に記載の骨盤サポーター。
【発明の詳細な説明】
【技術分野】
【０００１】
本発明は、運動時に装着可能であり、骨盤を固定・矯正等することが可能な骨盤サポーターに関する。
【背景技術】
【０００２】
従来より、腰部から骨盤部を取り巻くように装着し、骨盤の傾きや歪みを矯正するために使用可能な骨盤矯正ベルトが知られている。この骨盤矯正ベルトを使用することで、たとえば骨盤部に存在する腸骨や仙腸関節などを身体の外側から締め付けることができ、骨盤の傾きや歪みを矯正して腰痛などの身体不調を緩和することができる。
【０００３】
上記のような骨盤矯正ベルトの一例が、たとえば特開２００１−８７２９５号公報（特許文献１）に記載されている。この文献に記載の骨盤矯正ベルトは、主として腸骨稜および仙腸関節を覆う上段ベルトと、主として股関節を覆う下段ベルトとを備える。このような構成を備えることにより、下段ベルトを身体の左右側面から臀部の下側（脚側）にわたって装着することができ、骨盤矯正ベルトが本来の位置からずり上がるなどの問題に対応することができる。
【先行技術文献】
【特許文献】
【０００４】
【特許文献１】特開２００１−８７２９５号公報
【発明の概要】
【発明が解決しようとする課題】
【０００５】
しかしながら、上記特許文献１において開示されている骨盤矯正ベルトは、たとえば着用した状態で座り仕事を行なう機会の多い場合や、就寝時や、日常動作を行なう場合を意図しており、当該骨盤矯正ベルトを着用して積極的に運動することを予定していない。そのため、上記特許文献１に記載の骨盤矯正ベルトを着用して実際に水中や陸上等で運動を行なった場合には、当該骨盤矯正ベルトが本来の装着位置からずり上がって位置ずれする等の不具合が生じ得る。
【０００６】
本発明は、以上の問題に鑑みなされたものであり、その目的は、運動を行った際でも安定した装着状態を保持可能な骨盤サポーターを提供することにある。
【課題を解決するための手段】
【０００７】
本発明に係る骨盤サポーターは、運動用に装着可能な骨盤サポーターである。この骨盤サポーターは、装着者の下半身に装着可能な下衣と、下衣の表面に密着形成され、装着した際に装着者の腰周りに環状に延在する樹脂パターンとを備える。
【０００８】
上記樹脂パターンは、パターン密度が高い高密度領域と、パターン密度が低い低密度領域とを有することが好ましい。たとえば、下衣の正面中央部、背面中央部および側部に高密度領域を配置し、正面中央部と側部との間および背面中央部と側部との間に低密度領域を配置することが考えられる。
【０００９】
上記樹脂パターンは、該樹脂パターンが延在する方向と直交する方向の幅が広い広幅領域と、上記直交する方向の幅が狭い細幅領域とを有することが好ましい。たとえば、正面中央部および背面中央部に広幅領域を配置し、正面中央部と背面中央部との間に細幅領域を配置することが考えられる。
【発明の効果】
【００１０】
本発明に係る骨盤サポーターは、下衣の表面上に形成された環状の樹脂パターンを備え
るので、当該骨盤サポーターを装着した際に、上記樹脂パターンにより装着者の骨盤に適度な締付け力を付与することができる。また、樹脂パターンは、下衣の表面上に密着形成されているので、運動を行った際においても安定した装着状態を保持することができる。
【図面の簡単な説明】
【００１１】
【図１】本発明の実施の形態に係る骨盤サポーターの正面図である。
【図２】本発明の実施の形態に係る骨盤サポーターの側面図である。
【図３】本発明の実施の形態に係る骨盤サポーターの背面図である。
【図４】図１中の領域１１の拡大図である。
【図５】樹脂パターンを構成する線状パターンの構造例を示す断面図である。
【図６】本発明の実施の形態に係る骨盤サポーターの製造方法を示すフローチャートである。
【図７】本発明の他の実施の形態に係る骨盤サポーターの正面図である。
【図８】本発明の他の実施の形態に係る骨盤サポーターの背面図である。
【発明を実施するための形態】
【００１２】
以下、図面を参照しながら、本発明の実施の形態について説明する。なお、各実施の形態において、同一の機能を果たす要素には同一の参照符号を付し、その説明は、特に必要がなければ繰り返さない。
【００１３】
図１は、本発明の実施の形態に係る骨盤サポーター１の正面図である。図２は、本実施の形態に係る骨盤サポーター１の側面図である。図３は、本実施の形態に係る骨盤サポーター１の背面図である。図４は、図１中の領域１１の拡大図である。
【００１４】
本実施の形態の骨盤サポーター１は、たとえば水中や陸上でのウォーキングのような比較的軽い運動のみならず、水中競技や陸上競技などの激しい運動用にも使用可能なサポーターである。
【００１５】
図１〜図３に示すように、骨盤サポーター１は、装着者の下半身に装着可能な下衣２と、下衣２の表面に密着形成され、装着した際に装着者の腰周りに環状に延在する樹脂パターン１０とを備えている。
【００１６】
下衣２は、装着者の股部、臀部、下肢の一部等を受入れ可能な本体部と、本体部の一方端側に位置し装着時に装着者の下腹部近傍に配置されるウエスト部と、本体部の他方端側に位置し装着時に装着者の下肢上に配置される裾部１２とを有する。
【００１７】
下衣２は、様々な動作が容易に行えるように主として伸縮性生地で構成することが好ましい。一種類の伸縮性生地で下衣２を構成してもよいが、複数の種類の伸縮性生地を組合せて下衣２を構成してもよい。また、伸縮性生地をベースとする一方で、一部に非伸縮性生地を使用することもできる。下衣２の生地としては、たとえばポリウレタン繊維、ポリアミド繊維、ポリエステル繊維などから選ばれる繊維を組み合わせた編地もしくは織物などを用いることができる。
【００１８】
図１の例では、下衣２は、本体部の裾部１２が装着者の膝付近にまで達するスパッツ型の形状を有している。しかし、下衣２の形状としては、スパッツ型以外の任意の形状を採用することができる。たとえば、着用時に裾部１２が股関節付近のみを覆うブリーフ型の構造を採用することができ、下肢のほぼ全体を覆いその裾部１２がアキレス腱や踵部近傍にまで達するパンツ型の構造をも採用することができる。このように下衣２の本体部において装着者の下肢を受入れる部分の長さは任意に変更可能であり、また下衣２の本体部、ウエスト部、裾部１２の形状も任意に選択可能である。なお、ウエスト部には、紐やゴム等を装着し、装着時に装着者のウェスト部分に骨盤サポーター１を固定できるようにすることが好ましい。
【００１９】
上記のように骨盤サポーター１が下衣２を有することにより、着用時に通常の運動を行った場合のみならず身体や下肢を激しく動かす動作を行なっても、本来の装着すべき位置から骨盤サポーター１が大きく上側や下側等にずれることを抑制することができる。このため、運動時においても、本来の装着位置から大きくずれることなく、安定した装着状態を維持することができる。
【００２０】
また、たとえば裾部１２を装着者の下肢に密着させるようにすることで、下肢を覆う領域が本来の装着すべき位置から大きく上側や下側にずれる可能性を更に低減することがで
きる。さらに下衣２のうち装着時に装着者の股部よりも上側に存在する部分については、下衣２の股部が装着者の股部に干渉することにより、本来の装着すべき位置から大きく上側にずれることが抑制される。
【００２１】
樹脂パターン１０は、たとえばウレタン樹脂のような弾性を有する樹脂材料で構成することができる。また、ラバー、シリコン、ＰＶＣ（ポリ塩化ビニル）、ポリアミドエラストマー、ポリエステルエラストマー、ゴム系エラストマー、オレフィン系エラストマー、ポリエチレン、ポリプロピレン、ナイロン、ＥＶＡ（エチレン・酢酸ビニル共重合体）、ＡＢＳ（アクリロニトリル−ブタジエン−スチレン共重合体）等の樹脂材料も樹脂パターン１０の材料として使用することができる。
【００２２】
図１〜図３に示すように、多数の線状パターンにより樹脂パターン１０を構成してもよいが、任意形状の面状パターンと線状パターンとを組合せて樹脂パターン１０を構成してもよい。各線状パターン等の材質、形状等は任意に選択可能である。
【００２３】
図４の拡大図に示すように、図１〜図３の例では、樹脂パターン１０は、下衣２の表面上で互いに交差するように配置された複数本の線状パターンで構成されている。たとえば図４に示す領域内では、樹脂パターン１０は、異なる方向に延びる３種類の略直線状の線状パターン１０ａ，１０ｂ，１０ｃが互いに交差した構造を有している。
【００２４】
図４に示す部分の樹脂パターン１０は、複数本の線状パターンを網目状に配置することで形成されているが、線状パターンの材質、数、幅等を適切に調節することで、樹脂パターン１０による締付け力を多段階に調節することができる。たとえば大きな締付け力が必要な箇所においては、線状パターンの数を多くして下衣２の本体部の露出面積を少なくし、小さな締付け力でよい箇所については、線状パターンの数を少なくして下衣２の本体部の露出面積を多くすればよい。下衣２を構成する生地は、樹脂パターン１０を構成する樹脂に比べて伸縮性に富み、変形が容易となることから、上記のように線状パターンの数を調節することで、樹脂パターン１０による締付け力を容易に調節することができる。
【００２５】
図１〜図３に示すように、各線状パターンは、様々な方向に延在して互いに交差しているが、樹脂パターン１０全体としては、下衣２のウエスト部に沿う方向である横方向（図１〜図３における左右方向）に延在し、上述のように環状の形状を有する。
【００２６】
図１〜図３に示す例では、樹脂パターン１０を構成する各線状のパターンは互いに接続されているので、樹脂パターン１０により、骨盤サポーター１の装着時に装着者の骨盤に適度な締付け力を付与することができる。この樹脂パターン１０の締付け力により骨盤を固定することができ、骨盤を固定した状態で運動等を行なえる。また、本実施の形態の骨盤サポーター１を用いて骨盤の矯正等をも行うことができる。
【００２７】
さらに、当該骨盤サポーター１を装着した際には、樹脂パターン１０が、下衣２を介して装着者に締付け力を付与するので、装着者の腰周り部分との下衣２と密着性を向上させることもできる。このことも、骨盤サポーター１の装着位置の安定化に寄与し得る。
【００２８】
図１〜図３に示すように、樹脂パターン１０の密度は全領域において同一とする必要はない。図１〜図３の例では、樹脂パターン１０は、概ね、パターン密度が高い高密度領域と、パターン密度が中程度である中間密度領域と、パターン密度が低い低密度領域とを有している。
【００２９】
より具体的には、図１に示す骨盤サポーター１の正面（前面）側においては、下衣２の正面中央部３のパターン密度が最も高く、左右の側部５のパターン密度が正面中央部３の
パターン密度に次いで高い。そして正面中央部３と左右の側部５との間に挟まれた正面中間領域６において、パターン密度が最も低くなっている。
【００３０】
他方、図３に示す骨盤サポーター１の背面（後面）側においては、下衣２の背面中央部４のパターン密度が最も高く、左右の側部５のパターン密度が背面中央部４のパターン密度に次いで高い。そして背面中央部４と左右の側部５との間に挟まれた背面中間領域７において、パターン密度が最も低くなっている。
【００３１】
ここで、樹脂パターン１０の正面中央部３は、装着時に、腹直筋など下部腹筋群が存在する腹部の中央部に対応する領域であり、背面中央部４は、正面中央部３の背部に相当する領域である。
【００３２】
上記のように樹脂パターン１０に密度の差を設けることにより、樹脂パターン１０による締付け力を、樹脂パターン１０の延在方向に変化させることができる。また、このように樹脂パターン１０による締付け力を変化させることで、所望の箇所での下衣２と装着者の身体と密着性をも高めることができ、装着時の骨盤サポーター１のフィット感を向上させることができる。その一方で、樹脂パターン１０の各部における密度を適切に調節することにより、運動の際の動き易さをも追及することができ、着用時に様々な動作を容易に行なうことも可能となる。
【００３３】
図１〜図３に示す例のように正面中央部３における樹脂パターン１０のパターン密度を高くした場合には、腹部の中央部に対して比較的大きな締付け力を付与することができ、腹圧を高めることができる。また、装着者の腹部の中央部において快適なフィット感をも得ることができる。
【００３４】
また、背面中央部４における樹脂パターン１０のパターン密度を高くすることにより、装着者の背部の中央部（たとえば腰椎、仙骨が存在する付近の領域）に対しても比較的大きな締付け力を付与することができる。また、装着者の背部の中央部において快適なフィット感をも得ることができる。
【００３５】
さらに、下衣２の側部５のパターン密度を高くすることにより、装着者の身体の側部（たとえば大殿筋、中殿筋が存在する付近の領域）に比較的大きな締付け力を付与することができる。
【００３６】
他方、正面中間領域６や背面中間領域７においては、パターン密度が低くなっているので、装着者が樹脂パターン１０の存在により腰周り部分に窮屈な感覚を覚えることを抑制すると同時に、腰周り部分や下肢などの動きを柔軟に行なうことができる。
【００３７】
つまり、図１〜図３に示す例では、装着者の腰周りの前後左右の４箇所に比較的大きな締付け力を付与してフィット感を向上させる一方で、それ以外の箇所では装着者の動き易さを確保することができる。なお、高密度領域や低密度領域の数や位置は任意に選択可能であり、各領域のパターン密度についても任意の段階に変化させることができる。
【００３８】
図１〜図３に示すように、樹脂パターン１０の延在方向と直交する方向の樹脂パターン１０の幅も、全領域において同一とする必要はなく、樹脂パターン１０の延在方向に変化させてもよい。
【００３９】
図１〜図３に示す例では、樹脂パターン１０は、樹脂パターン１０が延在する方向と直交する方向（すなわち図１〜図３の上下方向）の幅が広い広幅領域と、幅が狭い細幅領域とを有している。
【００４０】
より詳しくは、図１〜図３に示す例では、樹脂パターン１０の正面中央部３を幅の広い広幅領域とする。このようにすれば、骨盤サポーター１を装着した際に身体の腹部の中央部は広幅領域に覆われることになる。それにより、装着した際に生地を介して腹部の中央部の広範囲にわたって締付け力を付与することができ、下衣２と身体との密着性を向上することができる。このことも、着用時の快適なフィット感に寄与し得る。
【００４１】
また、樹脂パターン１０の背面中央部４も、幅の広い広幅領域とする。それにより、当該領域においても、広範囲にわたり下衣２と身体との良好な密着性が保持でき、着用時の快適なフィット感に寄与し得る。
【００４２】
他方、樹脂パターン１０において正面中央部３と背面中央部４との間に位置する領域（たとえば装着した際に身体の左右の脇部（側部）に該当する領域）は、比較的幅の狭い細幅領域とする。図１〜図３に示す例では、樹脂パターン１０の側部５を細幅領域としている。それにより、骨盤サポーター１の装着時に恰も紐やベルトのような細い部材で身体の側部を締付けたような状態を実現することができ、着用時の快適なフィット感を維持しながら、動き易さをも確保することができる。
【００４３】
図１〜図３に示すように、樹脂パターン１０は、下衣２のウェスト部に沿う方向に湾曲しながら延在している。より詳しくは、樹脂パターン１０は、下衣２の正面中央部３から側部５に向かうにつれて一旦ウェスト部から離れた後、再び側部５においてウェスト部に近づき、側部５から背面中央部４に向かうにつれてウェスト部に更に近づくような独特の波形（湾曲）形状を有している。その結果、樹脂パターン１０の正面中央部３は、背面中央部４と比較して、ウェスト部から離れている。樹脂パターン１０がこのような形状を有することで、骨盤サポーター１の装着時に、身体の腰周りに適度な締付け力を付与することができる。
【００４４】
以上のように、骨盤サポーター１の下衣２の表面に密着形成する樹脂パターン１０の密度や、幅や、形成位置を変化させることにより、動き易さと装着時のフィット感とを維持しながら、所望の箇所に所望の締付け力を付与することができる。その結果、サポーターとしての機能を確保しながら、運動を行った際においても安定した装着状態を保持することができる。
【００４５】
次に、図５を用いて、上述の樹脂パターン１０を構成する線状パターンの構造例について説明する。図５は、樹脂パターン１０を構成する線状パターン１０ａの構造例を示す断面図である。
【００４６】
図５に示す例では、線状パターン１０ａの断面形状は略矩形である。より詳しくは、線状パターン１０ａは、下衣２の表面から略垂直に立ち上がる側面８を有し、上端角部９が尖ったような形状を有する。図５に点線で示すように、線状パターン１０ａの上端角部９を丸めてもよい。
【００４７】
線状パターン１０ａを伸縮させるのに必要な力が線状パターン１０ａによる締付け力に対応する力となるが、当該力は線状パターン１０ａの体積に比例する。ここで、上記のように線状パターン１０ａが下衣２の表面から略垂直に立ち上がる側面８を有することで、下衣２上における線状パターン１０ａの形成領域を小さく抑えながら、線状パターン１０ａの充分な体積を確保することができる。つまり、線状パターン１０ａの形成領域を小さく抑えながら、線状パターン１０ａによる所望の締付け力を得ることができる。
【００４８】
線状パターン１０ａの高さ（厚み）や幅は任意に調節可能であるが、これらを適切に調
節することによっても線状パターン１０ａの体積を調節することができ、線状パターン１０ａによる締付け力を調節することができる。
【００４９】
たとえば装着者の体格や好み等の違い等より、樹脂パターン１０による各部の締付け力を異ならせることを要求される場合もあると考えられるが、上記のように樹脂パターン１０を構成する線状パターン１０ａの高さ（厚み）、幅、密度等を適切に調節することにより樹脂パターン１０の各部の締付け力を容易に変化させることができるので、上記のような要求にも応えることができる。
【００５０】
次に、本発明の実施の形態に係る骨盤サポーター１の製造方法について図６を用いて説明する。図６は、本発明の実施の形態に係る骨盤サポーター１の製造方法を示すフローチャートである。
【００５１】
図６に示すように、まず、樹脂パターン１０を形成するための樹脂を準備する（Ｓ１０）。たとえば、所定の弾性を有し、成型性も良好であると考えられるウレタン樹脂を準備する。
【００５２】
次に、上記樹脂を金型に導入する（Ｓ２０）。この金型は、樹脂パターン１０の形状に対応した凹部（キャビティ）を有し、この凹部に樹脂を導入する。樹脂を金型に導入するに際しては、たとえば樹脂を流動可能な状態（たとえば液状）として金型に導入すればよい。その後、金型内で樹脂を加熱する（Ｓ３０）。たとえば上記樹脂の硬化温度以上の温度で加熱する。それにより、樹脂の一部（金型と接する部分およびその近傍）を硬化あるいは樹脂全体を半硬化状態とする。
【００５３】
次に、上記のような状態の樹脂を、下衣２の作製用の生地（たとえば伸縮性生地）に密着させる（Ｓ４０）。具体的には、金型内で加熱状態にある樹脂材料上に上記生地を被せ、該生地に圧力を加えて樹脂に生地を接触させる。この状態で樹脂を硬化させることにより、生地の表面上に所望の樹脂パターンを形成することができる。なお、金型を用いて樹脂パターン１０を形成した後に、接着剤等を用いて該樹脂パターンを生地上に密着形成することも可能である。
【００５４】
上記のように金型を用いて生地の表面に樹脂パターン１０を形成することにより、たとえば図５に示すように側面８が生地の表面にほぼ垂直な方向に延びるような線状パターン１０ａを形成することができる。
【００５５】
上記のようにして生地の表面に樹脂パターン１０を形成した後、生地同士を縫着することにより、たとえば図１〜図３に示すような骨盤サポーター１を作製することができる。
【００５６】
次に、本発明の他の実施の形態について、図７および図８を用いて説明する。図７は、本発明の他の実施の形態に係る骨盤サポーター１を示す正面図であり、図８はその背面図である。
【００５７】
本実施の形態では、腰周りの樹脂パターン（第１の樹脂パターン）１０に加えて、この樹脂パターン１０とは分離した大腿周りの樹脂パターン１３を形成している。図７および図８の例では、着用者の大腿四頭筋、ハムストリングス、薄筋、縫工筋、腸脛靭帯などの筋肉群の少なくとも一つ以上の筋肉の筋腹または／および筋腹付近を覆う位置に樹脂パターン（第２の樹脂パターン）１３を配置している。
【００５８】
上記の筋肉群は骨盤に附着し、腹筋群や臀筋群と協調しながら骨盤の機能に関わっている。この筋肉群を外方から樹脂パターンで適度に締付けることにより、より効果的に骨盤を安定させることができる。また、腰周りの樹脂パターン１０に加えて太腿周りの樹脂パターン１３を設けることで、腰周りに適度な締付け力を付与しながら、骨盤を安定させることができる。
【００５９】
図７および図８に示す樹脂パターン１３も、樹脂パターン１０と同様に、大腿の周方向に密度を異ならせてもよい。たとえば太腿部の幅方向中央部に位置する樹脂パターン１３の密度を、太腿部の幅方向外側部や内側部に位置する樹脂パターン１３の密度より高くしてもよい。また、これとは反対に、太腿部の幅方向中央部に位置する樹脂パターン１３の密度を、太腿部の幅方向外側部や幅方向内側部に位置する樹脂パターン１３の密度より低くしてもよい。
【００６０】
図７および図８に示すように、本実施の形態では、太腿部の幅方向外側に位置する樹脂パターン１３の高さを、幅方向内側に位置する樹脂パターン１３の高さよりも高くし、幅方向外側部から幅方向内側部に向かって斜め方向に樹脂パターン１３を延在させている。
【００６１】
なお、本実施の形態では、樹脂パターン１３を膝上部の太腿周りにリング状に連続的に設けたが、樹脂パターン１３の一部に切欠き部等の不連続部を設けてもよい。また、図８に示すように、筋肉群の筋腹または筋腹付近を覆う位置に独立した樹脂パターン１３ａをさらに設けてもよい。
【００６２】
以上のように本発明の実施の形態について説明を行なったが、今回開示した実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００６３】
１  骨盤サポーター、２  下衣、３  正面中央部、４  背面中央部、５  側部、６  正面中間領域、７  背面中間領域、８  側面、９  上端角部、１０，１３，１３ａ  樹脂パターン、１０ａ，１０ｂ，１０ｃ  線状パターン、１１  領域、１２  裾部。
【図１】
2010131363.tif 000003
【図２】
2010131363.tif 000004
【図３】
2010131363.tif 000005
【図４】
2010131363.tif 000006
【図５】
2010131363.tif 000007
【図６】
2010131363.tif 000008
【図７】
2010131363.tif 000009
【図８】
2010131363.tif 000010